(57)【特許請求の範囲】
【請求項１】
空気を本体ケーシング内に吸込み空気流路に導く送風機と、前記空気流路に設けられ空気中の水分を吸着させ乾燥空気とする吸着除湿エレメントと、前記空気流路内の前記吸着除湿エレメントと直列で前記送風機側に設けられ空気を加熱して前記吸着除湿エレメントに吸着した水分を脱着可能な加熱手段と、前記本体ケーシングに配置され前記吸着除湿エレメントを通過した空気を排気する２個の排気口と、前記加熱手段の加熱時に一方の排気口を開として他方の排気口を閉するとともに前記加熱手段の非加熱時に一方の排気口を閉として他方の排気口を開とする、前記２個の排気口を連動して開閉する開閉手段と、前記吸着除湿エレメントにより空気中の水分を吸着された乾燥空気を排気する排気口に接続され、この排気を導く吹出し通路と、前記吹出し通路に複数設けられ乾燥空気を吹出す吹き出し口と、前記空気流路内の前記吸着除湿エレメントと並列であるとともに、前記加熱手段と前記吸着除湿エレメントの間から前記送風機の送風をバイパスするバイパス空気通路と、を備えたことを特徴とする乾燥装置。
【請求項２】
吹き出し口に接続され吸着除湿エレメントに空気中の水分を吸着された乾燥空気が吹出される、被乾燥物を収納可能な収納部と、前記収納部に設けられ前記収納部を循環した空気を外部に吐出する外部への吐出口と、を備えたことを特徴とする請求項１に記載の乾燥装置。
【発明の詳細な説明】
【０００１】
【発明の属する技術分野】
本発明は、静止型吸着除湿エレメントを使う乾燥装置の構造に関するものである。
【０００２】
【従来の技術】
従来、この種の装置として特開平１１―３０４７９号公報に示す乾燥機能付き収納箱が知られている。該乾燥機能付収納箱は収納箱本体、空気加熱除湿機能付ボックス及び空気流通部からなり、収納箱本体と空気加熱除湿機能付きボックスの接続面には空気送り出し口及び空気回収口が設けられ、前記空気加熱除湿機能付きボックスには加熱送風装置、除湿機及び消臭殺菌器が設けられており、加熱送風装置より発生する温風を収納箱本体に送り出し、湿気や臭いを含んだ空気を空気回収口から回収した後、除湿機及び消臭殺菌器により乾燥、消臭、殺菌させて再び収納箱本体に送り出すことができるものである。また吸着除湿装置を用いた構成の除湿装置については特開平６−４７２４０号、特開平７−３１３８２６号、特開平５−１１５７３８号公報等が知られている。
【０００３】
【発明が解決しようとする課題】
上記の乾燥機能付収納箱は、加熱送風装置、除湿機及び消臭殺菌機が内蔵されており、しかも乾燥させるための空気は装置内を循環しているため、乾燥機能付収納箱の外部から空気を吸引したり排気したりする必要がない為、設置場所の自由度はある。しかし乾燥物から発生した水分を凝縮させるため高価な除湿機や、さらに高価な消臭装置が必要である。
【０００４】
さらに加熱乾燥（熱源は電気ヒーター式と思われる）方式であるので、乾燥速度を速める為に乾燥空気の温度を高温にする必要がある。この為靴等の乾燥物の素材の劣化の恐れがあること、又装置内の循環空気の温度と装置外の雰囲気温度との差は大きくなるので、乾燥機能付収納箱からの放熱が多くなるため加熱送風装置の加熱エネルギーが多くなり、乾燥効率（水分蒸発エネルギー量／乾燥に要するエネルギー量）が悪いという課題もある。更に吸着除湿装置に付いては乾燥ユニットの例が主体で、乾燥と除湿を切り替える構成の説明だけで多くの水分を早く処理する考えはなかった。除湿機ユニットを適用する装置全体の構成については特開平４−６３１１２号の構造が知られているが装置の内部を低い湿度に維持しようと言う構成であって、早く大量に水分を処理すると言う考えはなかった。
【０００５】
本発明は、上記した従来の問題点を解消するためになされたもので、その課題とする所は、濡れた靴等を乾燥させる場合に、大型の除湿機や消臭装置を使用せずに安価になるように構成した乾燥装置を提案するものである。
【０００６】
【課題を解決するための手段】
請求項１に係るこの発明の乾燥装置は、外部の空気を本体ケーシング内に吸込み空気流路に導く送風機と、空気流路に設けられ空気中の水分を吸着させ乾燥空気とする吸着除湿エレメントと、空気流路内の吸着除湿エレメントと直列で送風機側に設けられ空気を加熱して吸着除湿エレメントに吸着した水分を脱着可能な加熱手段と、本体ケーシングに近接して配置され吸着除湿エレメントを通過した空気を排気する２個の排気口と、加熱手段の加熱時に一方の排気口を開として他方の排気口を閉するとともに加熱手段の非加熱時に一方の排気口を閉として他方の排気口を開とする、２個の排気口を連動して開閉する開閉手段と、吸着除湿エレメントにより空気中の水分を吸着された乾燥空気を排気する排気口に接続され、この排気を導く吹出し通路と、吹出し通路に複数設けられ乾燥空気を吹出す吹き出し口と、空気流路内の吸着除湿エレメントと並列であるとともに、加熱手段と吸着除湿エレメントの間から送風機の送風をバイパスするバイパス空気通路と、を備えたものである。
【００１３】
請求項２に係るこの発明の乾燥装置は、吹き出し口に接続され吸着除湿エレメントに空気中の水分を吸着された乾燥空気が吹出される、被乾燥物を収納可能な収納部と、前記収納部に設けられ前記収納部を循環した空気を外部に吐出する外部への吐出口と、を備えたものである。
【００１８】
【発明の実施の形態】
実施の形態１．
以下この発明の1実施の形態の例について図１乃至図７にて説明する。図１は乾燥機ユニットの断面上面図、図２は図１の正面図、図３は吸着除湿エレメントの斜視図、図４は除湿・切替えダンパー図、図５は図１の側面図、図６は乾燥ユニットを靴箱に設置し、乾燥させる状態を説明する側面図、図７は図６の正面図である。まず図によって乾燥機ユニットについて説明する。
【００１９】
図１、２において１は本体ケーシングであり、その内部右側に送風機２があり下部に送風機吸込口２ａがある。本体ケーシング１の右側面には給気口３があり、塵埃を取り除く給気フィルター４が取り付けてある。５は吸着除湿エレメントであり１例としてセラミックス等の無機繊維にシリカゲル等を重合反応を利用して結合させているもので、この吸着除湿エレメント５は図３に示すように処理空気を通す直線状の多数の通路５ａがコルゲート状に全体に渡って分布する直方体状や立方体状に構成したもので、図１、２に示すように、この吸着除湿エレメント５は本体ケーシング１と通路壁６との間に取り付けられており、その外周は空気が漏れないようにしかも放熱を少なくするように断熱材７が設けられている。８は吸着除湿エレメント５を再生するため再生空気を加熱する再生用ヒーターである。９は電動ダンパーモーターで、図４に示すように除湿・再生切換えダンパー１０がダンパー軸１１に溶接等で接合され、このダンパー軸１１と電動ダンパーモーター９軸はカップリング(図示しない)によって結合されている。４０は乾燥機ユニットの制御を行う制御回路である。
【００２０】
図５に示すように、除湿・再生切換えダンパー１０がＡ位置にある時は除湿行程で、乾燥吹出口１２は開いて再生排気口１３は閉じるものである。除湿・再生切換えダンパー１０がB位置にある時は再生行程で、乾燥吹出口１２は閉じて再生排気口１３は開くものである。４１はダンパーのシールパッキンである。図１の１４は仕切り板で前記通路壁６と組み合わされバイパス通路１５を形成している。なお１６はバイパス吹出口であり１７は排気パイプである。
【００２１】
次にこの乾燥機ユニット２０を靴箱２１に取り付けた状態を図６、図7に示す。
靴箱２１を玄関室内３２に設置する。靴箱２１の上部に前述した乾燥機ユニット２０を設置し、排気パイプ１７は靴箱２１の壁を貫通しさらに外壁２２を貫通して室外に突き出している。さらに靴箱２１の内部には靴２３を載せる棚板２４があり、さらに上部の乾燥機ユニット２０を載せている乾燥機ユニット棚２４ａの奥の方には、乾燥機ユニット２０の乾燥吹出口１２とバイパス吹出口１６に合わせた吹出口２５がある。吹出口２５の下方には吹出し通路２６があり、吹出し通路２６にそって吹出し空気を各棚板２４に載せてある靴２３に乾燥空気を当てる様に分配吹出し口２７を持った分配板２８がある。なお分配吹出し口２７は靴23の内外面に空気がよくあたるように斜めのスリットがあいている。靴箱２１の上部の排気空間５０には排気口２９があり、外壁２２を貫通して室外５１と通じており、靴箱２１上部側面には乾燥機ユニット２０の給気口３に合わした給気グリル30があり、前面には靴箱のドアー３１がある。
【００２２】
次に本発明の動作について説明する。まず本発明の除湿乾燥機ユニット２０を靴箱２１に設置して靴等を乾燥する動作について説明する。靴箱２１のドアー３１を開いて濡れた靴２３を棚板２４に靴のつま先を前にして載せてドアーを閉める。次に乾燥機ユニット２０を運転して靴を乾燥させる訳である。乾燥機ユニット２０の運転には吸着除湿エレメント５に空気中の水分を吸着させる除湿行程と吸着除湿エレメントを再生する再生行程がある。
【００２３】
まず、除湿行程時の乾燥について説明すると、除湿・再生切換えダンパー１０は図５のＡ位置にある。送風機2の運転により玄関室内３２の常温・常湿の空気を送風機２の回転により靴箱２１の側面にある給気グリル３０から、乾燥機ユニット２０の給気フィルター４で塵埃を取り除かれ、給気口３から吸引される。この空気は再生用ヒーター８（この時は通電されていない）を通過し吸着除湿エレメント５内を通過する。この時空気中の水分は吸着除湿エレメント５に吸着され、吸着熱により温度が少し上昇して乾燥した空気となって乾燥吹出し口１２から、靴箱21内の吹出し口２５を通り吹出し通路２６に吹出される。この時1部の空気はバイパス通路１５を通りバイパス吹出し口１６から靴箱21内の吹出し口２５を通り吹出し通路２６に吹出される。このように除湿行程では、乾燥空気とバイパス空気の混合された空気が吹出し通路２６に吹出される。吹出し通路２６から分配板２８に空いてある分配吹出し口２７から空気は、各棚板２４に載っている靴２３に乾燥空気をあて、靴２３の水分を蒸発させて乾燥を始める。バイパス空気を設けたのは除湿時の風量は圧力損失の大きい吸着除湿エレメント５をすべて通過しないので全空気量を増大する事が出来るからで、乾燥全空気量が多いほど靴２３の乾燥速度が大きくなる為である。
【００２４】
靴２３から蒸発した水分は靴箱２１のドアー３１の裏面を上昇し、排気口２９から室外に排気される。この様に、本吸着除湿方式による乾燥装置は乾燥後の空気は室外へ排出する為除湿機や消臭装置は不要である。又、この様な吸着除湿方式による乾燥においては、乾燥空気の温度は吸着熱による室温からの温度上昇は５゜Ｃ−１０゜Ｃ程度であるが、ヒーターなどによる加熱乾燥式のように室温からの温度上昇が２０゜Ｃ−３０゜Ｃ程度の高温では無い為、靴等の乾燥物を傷めず、更に靴箱内の空気温度と玄関室内の雰囲気温度との差は小さいので、放熱のエネルギーは小さく済むので乾燥エネルギーは少なく、よって乾燥効率は大きくなる。しかもバイパス通路により風量は多くなるが風圧は増えないで済、送風機も比較的小さいもので十分に役に立つ。更に吹出口２５から吹出された風は吹出し通路２６の中で混合されるので全体として乾いた大量の空気が各分配吹出口から吹出されるので速い乾燥が行われる。
【００２５】
次に再生行程時について説明する。吸着除湿エレメント５はある程度水分を吸着したら飽和して吸着量が減少してくるので再生してやる必要がある。制御回路４０にあるタイマーで除湿行程を終了させ、制御回路40から電動ダンパーモーター９を作動させる信号を出し、除湿・再生切換えダンパー１０を図５のＢの位置にし乾燥吹出し口１２を閉じて、再生排気口１３を開き再生用ヒーター８を作動させる。送風機2により玄関室内３２の常温・常湿の空気を靴箱２１の側面にある給気グリル３０から、乾燥機ユニット２０の給気フィルター４で塵埃を取り除かれ、給気口３から吸引される。この空気は再生用ヒーター8(この時は通電されている)で加熱されて昇温し吸着除湿エレメント５を通過する。この昇温された空気によって、吸着除湿エレメント５は加熱され、除湿行程で吸着した水分を脱着させて吸着除湿エレメント５を再生する。吸着除湿エレメント５を通過した空気は湿潤空気となって再生排気口１３から排気パイプ１７を通り室外に排気される。しかしこの時1部の空気はバイパス通路１５を通りバイパス吹出し口１６から吹出し通路２６に吹出され除湿行程と同じく靴２３の内外面を通り靴２３の水分を蒸発させて排気口２９から排気される。なおこの時バイパス空気は乾燥空気では無い為、靴23からの水分蒸発量は大きくはないが、再生行程時でも靴の乾燥を行なわせるようにしたもので、全体として乾燥速度を少しでも大きくしようとする為である。
【００２６】
この再生行程もある時間経ったら制御回路４０で除湿・再生切換えダンパー１０を切り換えて再び除湿行程の動作になり以下これを繰り返す。このように吸着除湿エレメント５は吸湿・放湿を繰り返す事により連続的に乾燥動作を行なう事が出来る。この発明では、乾燥装置の方式を吸着除湿材（シリカゲル等）を利用した除湿乾燥方式を採用し、しかも乾燥するための空気は乾燥装置の外部から取り入れ、乾燥空気で靴を乾燥させた後再び空気を乾燥装置の外部へ排出する様にしたものである。この為、除湿機や消臭装置が不要なので装置全体が単純で安価な構成になる様にしたものである。しかも吸着除湿乾燥方式を採用した為、乾燥用空気の温度は高温ではないので靴等の乾燥物を傷めず、乾燥装置内の空気温度と乾燥装置外の雰囲気温度との差は小さいので、放熱のエネルギーは小さく済むので乾燥エネルギーは少なく、よって乾燥効率は大きくなるというものである。
【００２７】
実施の形態２．
実施の形態1では、除湿行程時は再生用ヒーター８を通電していないが、例えば季節が冬期になると玄関室内の雰囲気温度も５゜Ｃ程度に降下し、空気中の絶対湿度も小さくなる。この様な時は除湿行程時でも乾燥機ユニット棚２４ａに取り付けた温度センサー４６が検知し制御回路４０の信号で、再生用ヒーター８を作動させてやる方が靴２３に温風があたり靴２３の乾燥を速める事が出来る様にしたものである。すなわち寒い時やびしょびしょに濡れている時などは、若干の温度を加える方が早く乾燥させることが出来る。
【００２８】
実施の形態３．
上記までの説明では、バイパス通路１５に流れる空気は常温・常湿の空気がそのまま通過するので、特に再生行程時のバイパス空気のみの靴２３の乾燥速度は、除湿行程時に比べ小さくなる。ここでは、再生行程時でも乾燥速度を大きくしようとするものである。図８は乾燥ユニットの断面上面図で、４２は再生空気バイパス穴である。
【００２９】
図８に示すように、再生用ヒーター８と吸着除湿エレメント５の間の通路壁６に再生空気バイパス穴４２を設けたものである。このようにする事により、除湿行程時は再生用ヒーターが作動しない為実施例１と何ら変わらないが、再生行程時は再生用ヒーター８が作動する為再生用ヒーター８で昇温された再生空気の1部は吸着除湿エレメント５のほうへ流れるが、1部は再生空気バイパス穴４２を通過しバイパス空気吹出し口から靴箱のほうへ流れていきこの空気は高温の空気となっているので、再生行程時でも靴２３の乾燥速度を速める事が出来るものである。その他の動作は上記までの説明と同一のものである。
【００３０】
実施の形態４．
図９は乾燥ユニットの断面上面図である。上記までの説明で室外に排気するのは、乾燥機ユニット２０の再生排気口１３から排気パイプ１７から排気するのと、靴箱２１の上部にある排気口２９の2個所である。この場合靴乾燥装置を設置するにあたり、外壁２２に2個所の穴を開ける必要があり設置工事に手間がかかる。そこで外壁に開ける排気穴を1個にして設置工事を簡略化したものである。図９に示すように乾燥機ユニット２０の本体ケーシング１の左側面に再生排気口１３を設け除湿・再生切換ダンパー１３を乾燥吹出口１２と再生排気口１３とがそれぞれ開閉するように配置したものである。この乾燥ユニット２０を図７のように設置すると、再生行程時は再生排気口１３からの湿潤となった再生排気空気は靴箱２１の上部の排気空間に放出されるが、排気口２９から室外へ排気されるのでなんら問題はない。この為実施例１のように排気パイプ１７の外壁２２の穴あけ工事は必要ではなく排気口２９のみ1個所の工事のみで良いので、設置工事の簡略化が計れるものである。
【００３１】
実施の形態５．
図１１は乾燥ユニットにバイパスダンパーを設けた説明行う上面図、図１２は靴箱に湿度センサーを設けた説明図である。４３はバイパスダンパー、４４はバイパスダンパーモーター、４５は湿度センサーである。上記までの説明では、靴箱２１内の濡れた靴２３を速く乾燥する場合について述べたが、実際には靴が濡れていなくても、梅雨期等で玄関室内３２の雰囲気湿度が極めて高く靴箱２１のドアーの隙間等から湿気が入り込み靴箱２０内の雰囲気は湿度が高い状態になり、靴２３にカビが発生して靴２３を傷めるという事態が発生するので、カビ発生を防ぎたいという場合がある。上記までの説明では、乾燥機ユニット２０のバイパス吹出し口１６からは除湿行程時・再生行程時ともバイパス空気が流れて靴２３を載せてある乾燥棚２４を通過していくが、この場合バイパス空気がある為、特に再生行程時は玄関室内３２の雰囲気湿度になることが考えられ、乾燥機ユニット２０を運転しても靴箱２１内の雰囲気湿度はあまり低湿にならない。そこで図１１に示すようにバイパス吹出し口１６をバイパスダンパーモーター４４で開閉するバイパスダンパー４３を設けた事にある。靴箱21内の靴をゆっくり乾燥させるとともに、靴箱2１内の雰囲気の相対湿度が高く靴２３に発生するカビを防止する目的で乾燥機ユニット２０を運転する場合は、バイパス吹出し口１６をバイパスダンパー４３で閉じて行なう。このようにする事により、除湿行程ではより低湿の乾燥空気が得られ靴箱21内を低湿雰囲気に出来、再生行程では、靴箱２１内に空気は流れないから湿度の増加はほとんどなく、靴箱２１内を常に低湿雰囲気に出来るので、靴２３のカビを発生防止出来るようにしたものである。なおこの場合に図１２に示すように靴箱２１の内部に湿度センサー４５を設け、乾燥機ユニット２０の制御回路と連動すれば乾燥機ユニット２０は自動運転出来る。すなわち靴箱２０内の湿度が高くなれば乾燥機ユニット２０は運転を始め、湿度が低くなれば乾燥機ユニット２０の運転は停止するように出来、靴２３に発生するカビを防止出来るようにしたものである。
【００３２】
実施の形態６．
図１３は乾燥ユニットに吸込み切替えダンパーを設けた説明図、図１４は図１３の正面図である。４７は吸込み切替えダンパーモーター４８により駆動される吸込み切替えダンパー、４９は循環吸込口である。実施の形態５で説明したように、靴箱２１内を乾燥させるとともに、靴箱２１内の雰囲気の相対湿度を低くし、靴２３に発生するかびを防止するため、乾燥機ユニット２０運転する場合に、図１３、図１４に示すように、本体底面に循環吸込口４９を設け、吸込み切替えダンパー４７を設けて、給気口３と循環吸込口４９を交互に開閉するようにする。切替えダンパー４７の駆動は吸込み切替えダンパーモーター４８で行う。動作として、先ず、バイパス吹出口１６をバイパスダンパー４３で塞いでおく。除湿行程時、吸込み切替えダンパー４７は図１４のＣの位置にあり、除湿再生切替えダンパー１０はＡの位置にある。循環吸込口４９から靴箱２１内の空気を吸込み、吸着除湿エレメント５で靴箱２１内の水分を吸湿し乾燥吹出口１２から乾燥空気を吹出し靴箱２１内を乾燥雰囲気にするので、靴２３にはかびの発生はない。
【００３３】
再生行程時、吸込み切替えダンパー４７はＣの位置にあり、除湿再生切替えダンパー１０はＢの位置にある。この時は、給気口３より玄関内の空気を吸込み、再生用ヒーター８で加熱された空気で、吸着除湿エレメント５を再生して、再生排気口１３より室外へ湿った空気を排気する。この行程を繰り返し靴箱２１内を乾燥雰囲気に保つのである。この時除湿行程では靴箱２１内の空気を循環するのみであるので玄関内の空気の湿度が大きい場合にも除湿量が少なくて済み、再生ヒーターの消費電力は少なくて済む。なおこの時靴箱内に図１２のごとく湿度センサー４５を設けて乾燥機ユニットを自動運転すれば更に確実に、より低いエネルギーで乾燥させることが出来る。
【００３４】
以上のように本発明によれば、靴から蒸発した水分を室外に排出するようにしたので、除湿機や消臭装置は不要のため安価である。さらに吸着除湿方式による乾燥の為、乾燥空気が高温ではない為靴等の乾燥物を傷めず、又靴箱からの放熱エネルギーは小さいので乾燥効率が大きくなる。また、再生行程時でもバイパス空気により乾燥を行なわせることが出来るので、乾燥速度を早くしてやる事ができる。また、除湿行程時でも再生用ヒーターを作動させるようにしたので、冬期の低温時でも靴の乾燥速度を早くする事ができる。また、再生空気バイパス穴を設けたので、再生時のバイパス空気は空気温度を高く出来るので、再生時の靴の乾燥速度を早くする事ができる。また、乾燥ユニットの側面に排気穴を設け、再生排気を靴箱内の排気空間に排気したので、室外の排気穴は1個で良い為工事が簡単である。また、バイパス吹出し口にバイパスダンパーを設けて、必要に応じてバイパス吹出し口を閉じて運転出来るようにしたので、靴箱内の雰囲気を低湿に出来、靴に発生するカビを防止出来る利点がある。また、靴箱内に湿度センサーを設けたので、靴箱内の雰囲気湿度により乾燥機ユニットを自動運転出来る利点がある。また、乾燥機本体に循環吸込口、吸込み切替えダンパーを設けたので乾燥機ユニットを運転する消費電力を少なく出来ると言う利点がある。
【００３５】
この発明は雨で濡れた靴を低いエネルギーで早く乾燥させる構成を説明したが、食器乾燥機や傘乾燥機に使用しても、常温で乾燥し、低い温度で除湿する交互方式なので、消費電力が非常に少なくて済むものになる。この様に水きりを行う製品は乾燥された空気を角度をつけて下方へエアーカーテンのように全面に吹出させることが有効である。また、切替えダンパーを、吹き出しと再生、吸い込みと循環など簡単な構造で兼用でき、小型で安価な装置が可能になる。またこの装置は箱体の中の収納物を乾燥させる構成を説明したが、乾燥空気を吹出す複数の吹出口を半円のパイプリングに平面的に分布させるようにスリット状にまたは複数併置して中心に周りから吹出させ、更にこの半円のパイプリングを重ねて立体的な吹き出しとすることにより、開放された個所に吹出させる構成でも良い。
【００３６】
この様な開放的で立体的な吹出口の構成の例を図１５に示す。図１５では下端に乾燥ユニット２０が設けられ、吹出し通路２６が半円状で筒形状内を縦方向に通風する形で設けられている。この筒形状の内周面に吹出口が半円の中心方向に向かい乾燥された空気を吹出すように多数配置されている。なお、乾燥ユニットは筒形状の外周面から室内の空気を吸込んで下の方向へ湿った空気を付す出す構成である。これにより、この筒の中に傘を立てたり、商品、例えば高い湿度を嫌う皮製品などを上下方向に釣り下げたり出来る。乾燥ユニット２０は室内空気をフィルターで除去して吸込み、本発明の構成で乾燥させ、商品の周りから乾燥空気を吹出させることにより、低い湿度を維持するだけでなく埃が付着を防ぐことも出来、室内に展示する商品に対し、見栄えが良く、且つ、開放状態で保存しても湿気や汚れなどにより品質に影響が出ない展示方法を可能にする。この様に商品に向かい吹出させる場合、上方側の吹出口は商品の上から埃が落ちてくるのを防止するため水平方向から上に向けてエアーカーテンのように吹出させることが有効である。図１５は屋根はあるが室外におかれた傘立てとして使用する例のため、吹出口はすべて下方へ向けてある。しかも滴下した水分は土間に流れることになる。このように収納部とは開放された部分であっても良く、その場合吹出し口に向かい合う空間で、乾燥された空気が到達する範囲であれば室内のその部分だけ乾燥させることが出来る範囲であれば良い。図１５の例は非常に低いエネルギーにより空気を吹出して乾燥可能であるため成り立つ構成といえる。
【００３７】
【発明の効果】
請求項１の発明では、簡単な構成、且つ、低いエネルギーで多くの水分を含む被乾燥物に対しての乾燥が可能になる装置が得られる。
【００４４】
請求項２に係るこの発明の乾燥装置は、吹き出し口に接続され吸着除湿エレメントに空気中の水分を吸着された乾燥空気が吹出される、被乾燥物を収納可能な収納部と、前記収納部に設けられ前記収納部を循環した空気を外部に吐出する外部への吐出口と、を備えたので、湿気を含んだ空気を外部に吐出して確実、且つ速い乾燥が可能である。
【図面の簡単な説明】
【図１】  この発明における、乾燥機ユニットの断面上面図。
【図２】  この発明における、乾燥機ユニットの断面正面図。
【図３】  この発明における、吸着除湿エレメントの斜視図。
【図４】  この発明における除湿・切り換えダンパー図。
【図５】  この発明における、乾燥機ユニットの断面側面図。
【図６】  この発明における、乾燥ユニットを靴箱に設置し、靴の乾燥状態を示す断面側面図。
【図７】  この発明における、乾燥ユニットを靴箱に設置し、靴の乾燥状態を示す断面正面図。
【図８】  この発明における、乾燥ユニットに再生空気バイパス穴を設けた事を示す断面上面図。
【図９】  この発明における、乾燥ユニットの側面に再生排気口を設けた事を示す断面上面図。
【図１０】  この発明における、乾燥ユニットの側面に再生排気口を設けた事を示す断面正面図。
【図１１】  この発明における、乾燥ユニットにバイパスダンパーを設けた事を示す断面上面図。
【図１２】  この発明における、靴箱に湿度センサーを設けたことを示す断面側面図。
【図１３】  この発明における、乾燥ユニットに吸込み切替えダンパーを設けたことを示す断面上面図。
【図１４】  この発明における、乾燥ユニットに吸込み切替えダンパーを設けたことを示す断面正面図。
【図１５】  この発明に於ける、乾燥ユニットを傘立てに設置した状況を説明する斜視図。
【符号の説明】
１  本体ケーシング、  ２  送風機、  ３  給気口、  ４  給気フィルタ、  ５  吸着除湿エレメント、  ６  通路壁、  ７  断熱材、  ８  再生用ヒーター、  ９  電動ダンパーモーター、  １０  除湿再生切替えダンパー、  １１  ダンパー軸、  １２  乾燥吹出口、  １３  再生排気口、  １４  仕切り板、  １５  バイパス通路、  １６  バイパス吹出口、  １７  排気パイプ、  ２０  乾燥機ユニット、  ２１  靴箱、  ２２  外壁、  ２３  靴、  ２４  棚板、  ２５  吹出口、  ２６  吹出し通路、  ２７  分配吹出口、  ２８  分配板、  ２９  排気口、  ３０  吸気グリル、  ３１  ドアー、  ３２  玄関室内、  ４０制御回路、  ４１  シールパッキン、  ４２  再生空気バイパス穴、  ４３  バイパスダンパー、  ４４  バイパスダンパーモーター、  ４５  湿度センサー、  ４８  吸込み切替えダンパーモーター、  ４９  循環吸込口、  ５０  排気空間、  ５１  室外。
【図１】
0003767301.tif 000002
【図２】
0003767301.tif 000003
【図３】
0003767301.tif 000004
【図４】
0003767301.tif 000005
【図５】
0003767301.tif 000006
【図６】
0003767301.tif 000007
【図７】
0003767301.tif 000008
【図８】
0003767301.tif 000009
【図９】
0003767301.tif 000010
【図１０】
0003767301.tif 000011
【図１１】
0003767301.tif 000012
【図１２】
0003767301.tif 000013
【図１３】
0003767301.tif 000014
【図１４】
0003767301.tif 000015
【図１５】
0003767301.tif 000016